(57)【要約】      （修正有）【課題】コンピュータネットワークを介してローカルコンピュータによって遠隔機械を監視するための方法を提供する。【解決手段】遠隔機械には、ウェブサーバプログラムがインストールされ、エレクトロニックデータシートを更新することで再設定されるパラメータ設定を有し、ローカルコンピュータにおいてブラウザを起動し、コンピュータネットワークを介して遠隔機械へのコンピュータネットワークリンクを確立させ、遠隔機械からローカルコンピュータへＪＡＶＡ（登録商標）アプレットをダウンロードし、ローカルコンピュータでエレクトロニックデータシートのコンテンツをディスプレイし、ローカルコンピュータに記憶されるＪＡＶＡ（登録商標）アプレットを用いて遠隔機械に対応するエレクトロニックデータシートにアクセスして遠隔機械を再設定する。【選択図】図４
2010206484.tif 000002
【特許請求の範囲】
【請求項１】
コンピュータネットワークを介してローカルコンピュータによって遠隔機械を監視するための方法であって、遠隔機械は、ウェブサーバプログラムがインストールされ、エレクトロニックデータシートを更新することで再設定されるパラメータ設定を有し、前記方法は、以下のステップ：
Ａ）  前記ローカルコンピュータにおいてブラウザを起動し、前記コンピュータネットワークを介して前記遠隔機械への前記コンピュータのネットワークリンクを成立させるステップと、
Ｂ）  前記遠隔機械から前記ローカルコンピュータへＪＡＶＡ（登録商標）アプレットをダウンロードするステップと、
Ｃ）  ＪＡＶＡ（登録商標）アプレットを用いて前記遠隔機械に対応するエレクトロニックデータシートにアクセスして、前記ローカルコンピュータにおいて前記エレクトロニックデータシートのコンテンツをディスプレイするステップと、
を含むことを特徴とする、方法。
【請求項２】
請求項１に記載の方法であって、
前記方法は、Ｄ）  前記機械の前記パラメータ設定を再設定するために、前記機械に対応する前記エレクトロニックデータシートのコンテンツを更新するステップを更に含むことを特徴とする、方法。
【請求項３】
請求項２に記載の方法であって、
前記ブラウザは、インターネットエクスプローラまたはファイヤーフォックスであることを特徴とする、方法。
【請求項４】
請求項２に記載の方法であって、
前記パラメータ設定は、機械のモデル番号、機械のファームウェアヴァージョン番号または機械の製品カテゴリであることを特徴とする、方法。
【請求項５】
請求項１に記載の方法であって、
前記コンピュータネットワークは、イーサネット（登録商標）ネットワークであることを特徴とする、方法。
【請求項６】
請求項１に記載の方法であって、
前記遠隔機械はコンバータであることを特徴とする、方法。
【発明の詳細な説明】
【技術分野】
【０００１】
本発明は、遠隔機械を監視するための方法に関する。本発明は特に、ローカルコンピュータに格納されている遠隔機械に対応するエレクトロニックデータシートを更新するとともに、コンピュータネットワークを介して遠隔機械のパラメータ設定を再設定するための方法に関する。
【背景技術】
【０００２】
エレクトロニックデータシート（ＥＤＳとも省略される）は、遠隔機械の様々な内部パラメータ設定、たとえば遠隔機械モデル番号、遠隔機械ファームウェアヴァージョン番号、遠隔機械製造カテゴリ等を記録するための従来技術における一般的な形式である。したがって、ユーザは、遠隔機械のＥＤＳにアクセスして、遠隔機械の様々な内部パラメータ設定を取得することができる。同様に、遠隔機械の様々な内部パラメータ設定を、遠隔機械のＥＤＳを更新することで再設定することができる。
【０００３】
図１は、エレクトロニックデータシートを用いて遠隔機械を制御するための、先行技術に係る方法を示す概略図である。ローカルコンピュータ１０Ａには、ブラウザ１２Ａがインストールされている。ブラウザ１２Ａは、インターネットエクスプローラまたはファイヤーフォックス等の既知のアプリケーションであり得る。遠隔機械２０Ａは、遠隔機械２０ＡのＥＤＳ２２Ａを有する。遠隔機械２０ＡのＥＤＳ２２Ａは、遠隔機械２０Ａのパラメータ設定を有する。ローカルコンピュータ１０Ａは、遠隔機械２−Ａに電気的に接続されている。ローカルコンピュータ１０Ａは、ブラウザ１２Ａを開始するとともに、遠隔機械２０Ａへのインターネットリンクを成立させ、それによって、遠隔機械２０Ａの様々な内部パラメータ設定を取得するために、遠隔機械２０ＡのＥＤＳ２２Ａにアクセスする。上記の方法によって、ローカルコンピュータ１０Ａは、遠隔機械２０Ａのオペレーションを監視する。遠隔機械２０Ａがモニタまたはセンサである場合には、ローカルコンピュータ１０Ａは、この方法を利用して、遠隔機械２０Ａのオペレーションを正確に監視するとともに、タスクまたはパラメータ測定を行う。
【０００４】
図２は、エレクトロニックデータシートを用いて遠隔機械を制御し、図１において行われるオペレーションをさらに詳細に行う、先行技術に係る方法を示すフローチャートである。図１および図２を参照すると、まず、ローカルコンピュータ１０Ａは、ステップＳ１０で、ブラウザ１２Ａを起動し、遠隔機械２０Ａへのコンピュータネットワークリンクを成立させる。続くステップＳ２０において、ローカルコンピュータ１０Ａは、遠隔機械２０Ａに格納されている遠隔機械２０ＡのＥＤＳ２２Ａにアクセスし、遠隔機械２０Ａのパラメータ設定を取得するために、遠隔機械２０ＡのＥＤＳ２２Ａのコンテンツをローカルコンピュータ１０Ａに表示する。
【０００５】
しかしながら、先行技術に係る方法の最も大きな問題点は、遠隔機械２０ＡのＥＤＳ２２Ａが、ローカルコンピュータ１０Ａではなく遠隔機械２０Ａに格納されていることである。先行技術に係る方法によると、ローカルコンピュータ１０Ａでブラウザ１２Ａを起動して遠隔機械２０Ａへのコンピュータネットワークリンクを成立させないと、遠隔機械２０Ａに格納されている遠隔機械２０ＡのＥＤＳ２２Ａにアクセスして２０ＡのＥＤＳ２２Ａのコンテンツを表示することができない。結果として、先行技術に係る方法が提供できるのは、遠隔機械２０Ａのパラメータ設定を取得するための手段のみであり、遠隔機械２０Ａのパラメータ設定を再設定するための手段は提供することができない。したがって、遠隔機械が、機械の故障による保守または機械のファームウェアの更新を要求する場合、ユーザは、コンピュータネットワーク上で保守またはファームウェアの更新を行うことはできない。ユーザは、遠隔機械を製造業者に送り返すか、または、保守またはファームウェアの更新のための他の複雑な手段を用いなくてはならなかった。全体のプロセスは、不便なものであるとともに、時間および労力を浪費するものである。
【発明の概要】
【発明が解決しようとする課題】
【０００６】
したがって、上述した先行技術に係る欠点を克服するために、本発明の課題の１つは、遠隔機械を監視するための方法を提供することである。この方法によって、ユーザは、遠隔機械の様々な内部パラメータ設定を再設定および保守することができるようになる。
【課題を解決するための手段】
【０００７】
上記の目標を達成するために、本発明に係る遠隔機械を監視するための方法は、ローカルコンピュータを利用して、コンピュータネットワークを介して遠隔機械を監視する。遠隔機械は、ウェブサーバプログラムがインストールされており、かつ、エレクトロニックデータシートを更新することによって再設定される様々な内部パラメータ設定を有する。本方法は、以下のステップを有する。すなわち、ローカルコンピュータにおいてブラウザを起動し、コンピュータネットワークを介して遠隔機械へのコンピュータネットワークリンクを成立させるステップと、遠隔機械からローカルコンピュータにＪＡＶＡ（登録商標）アプレットをダウンロードするステップと、ローカルコンピュータに格納されているＪＡＶＡ（登録商標）アプレットを用いて遠隔機械に対応するエレクトロニックデータシートにアクセスし、エレクトロニックデータシートのコンテンツをローカルコンピュータに表示するステップと、である。
【０００８】
さらに、本方法は、本発明に係る遠隔機械のＥＤＳを更新することによって、遠隔機械の様々な内部パラメータ設定を再設定する。
【図面の簡単な説明】
【０００９】
【図１】遠隔機械を制御するためにエレクトロニックデータシートを利用する先行技術に係る方法の概略図である
【図２】遠隔機械を制御するためにエレクトロニックデータシートを利用する先行技術に係る方法のフローチャートである。
【図３】本発明に係る遠隔機械を監視するための方法を用いたシステムの概略図である。
【図４】本発明に係る遠隔機械を監視するための方法のフローチャートである。
【発明を実施するための形態】
【００１０】
図３は、本発明に係る遠隔機械を監視するための方法を用いたシステムの概略図である。ローカルコンピュータ１０には、ブラウザ１２がインストールされている。ブラウザ１２は、たとえばインターネットエクスプローラまたはファイヤーフォックス等の先行技術に係るブラウザであってもよい。ローカルコンピュータ１０は、コンピュータネットワーク（たとえばイーサネット（登録商標）ネットワーク）を介して遠隔機械２０に操作接続されている。遠隔機械２０には、ウェブサーバプログラム（不図示）がインストールされている。ローカルコンピュータ１０は、さらに、遠隔機械２０のＥＤＳ２２を備える。遠隔機械２０のＥＤＳ２２は、たとえば遠隔機械モデル番号、機械のファームウェアヴァージョン番号または機械の製品カテゴリ等の遠隔機械２０の内部パラメータ設定を有する。ローカルコンピュータ１０は、ブラウザ１２を起動して、遠隔機械２０へのコンピュータネットワークリンクを成立させる。そして、遠隔機械２０からローカルコンピュータ１０へ遠隔機械２０のＪＡＶＡ（登録商標）アプレットをダウンロードする。ＪＡＶＡ（登録商標）アプレットは、サンマイクロシステムズによって開発されたインターネットネットワーク使用に特化した一種のプログラム言語である。ＪＡＶＡ（登録商標）は、ワールドワイドウェブ（ＷＷＷ）の今轍において使用されるオブジェクト指向プログラム言語であり、クロスプラットフォーム等の特徴を有し、実装が簡単であり、解釈型およびオブジェクト指向型言語である。
【００１１】
本発明によると、遠隔機械２０のＪＡＶＡ（登録商標）アプレットは、ローカルコンピュータ１０に格納されたＥＤＳ２２の対応のアドレス情報を有する。したがって、ローカルコンピュータ１０は、遠隔機械２０のＪＡＶＡ（登録商標）アプレットを介して、ローカルコンピュータ１０に格納されている遠隔機械２０に対応するＥＤＳ２２にアクセスし、遠隔機械２０の様々な内部パラメータ設定を取得するために遠隔機械２０のＥＤＳ２２のコンテンツを表示する。加えて、ユーザは、遠隔機械２０のＥＤＳ２２のコンテンツを更新し、遠隔機械２０の様々な内部パラメータ設定を再設定することができる。
【００１２】
さらに、本発明に係るＥＤＳ２２のコンテンツは、以下のように説明できる。ここで、遠隔機械はコンバータ（ＶＦＤ）である：
【００１３】
［Ｆｉｌｅ］
ＤｅｓｃＴｅｘｔ＝”ＤＮ−０２Ｅ  ＥＤＳ  Ｆｉｌｅ”；
ＣｒｅａｔｅＤａｔｅ＝０８−０９−２００８；
ＣｒｅａｔｅＴｉｍｅ＝１０：０６：２０；
ＭｏｄＤａｔｅ＝０８−１９−２００８；
ＭｏｄＴｉｍｅ＝１０：０６：２０；
Ｒｅｖｉｉｏｎ＝１．００；
［Ｄｅｖｉｃｅ］
ＶｅｎｄＣｏｄｅ＝７９９；
ＶｅｎｄＮａｍｅ＝”ＤＥＬＴＡ  ＥＬＥＣＴＲＯＮＩＣ，ＩＮＣ．”；
ＰｒｏｄＴｙｐｅ＝１２；
ＰｒｏｄＴｙｐｅＳｔｒ＝”Ｃｏｍｍｕｎｉｃａｔｉｏｎｓ  Ａｄａｐｔｅｒ”；
ＰｒｏｄＣｏｄｅ＝２２；
ＭａｊＲｅｖ＝１；
ＭｉｎＲｅｖ＝１；
ＰｒｏｄＮａｍｅ＝”Ｄｅｌｔａ  ＶＦＤ−Ｅ”
Ｃａｔａｌｏｇ＝”Ｄｅｌｔａ  ＶＦＤ−Ｅ  Ｄｒｉｖｅ  ＤｅｖｉｃｅＮｅｔ  ｃｏｍｍｕｎｉｃａｔｉｏｎ  ｍｏｄｕｌｅ”；
［Ｐａｒａｍｓ］
【００１４】
図１と図３の方法の対比によると、本発明に係る遠隔機械を監視するための方法と先行技術との間の最も大きな相違点は、遠隔機械２０のＥＤＳ２２の格納場所である。先行技術に係る遠隔機械２０のＥＤＳ２２は、遠隔機械２０に格納されている。ユーザは、遠隔機械２０のＥＤＳ２２にアクセスすることができるが、更新することはできない。本発明にかかる遠隔機械を制御するための方法による遠隔機械２０のＥＤＳ２２は、ローカルコンピュータ１０に格納されている。ＪＡＶＡ（登録商標）アプレット技術を用いて、ユーザは、遠隔機械２０のＥＤＳ２２にアクセスしてそれを更新し、それによって、遠隔機械２０の様々な内部パラメータ設定を再設定することができる。
【００１５】
図４は、本発明に係る遠隔機械を監視するための方法のフローチャートである。まず、ステップＳ１００において、ローカルコンピュータ１０は、ブラウザ１２を起動して、遠隔機械２０へのコンピュータネットワークリンクを成立させる。それに続き、ステップＳ２００では、遠隔機械２０は、遠隔機械２０のＪＡＶＡ（登録商標）アプレットをローカルコンピュータ１０へダウンロードする。そして、ローカルコンピュータ１０における遠隔機械２０のＪＡＶＡ（登録商標）アプレットは、ローカルコンピュータ１０に格納されている遠隔機械２０に対応するＥＤＳ２２にアクセスし、そして、遠隔機械モデル番号、機械のファームウェアヴァージョン番号または機械の製品カテゴリ等の遠隔機械２０のさまざまな内部パラメータ設定を取得するために、遠隔機械２０のＥＤＳ２２のコンテンツをディスプレイする。最終的に、ステップＳ４００では、ローカルコンピュータ１０における遠隔機械２０のＪＡＶＡ（登録商標）アプレットは、遠隔機械２０のＥＤＳ２２のコンテンツを更新し、それによって、遠隔機械２０の様々な内部パラメータ設定を再設定する。
【００１６】
先行技術と本発明に係る遠隔機械を監視するための方法との間の相違点が、図３および図４に示されている。本発明に係る遠隔機械を監視するための方法は、ＪＡＶＡ（登録商標）アプレットの技術を利用して、遠隔機械２０からローカルコンピュータ１０へ遠隔機械のＪＡＶＡ（登録商標）アプレットをダウンロードし、ローカルコンピュータ１０内に格納されている遠隔機械２０のＥＤＳ２２にアクセスし、そして、遠隔機械２０のＥＤＳ２２のコンテンツを表示することで、遠隔機械２０の様々な内部パラメータ設定を取得する。加えて、ＪＡＶＡ（登録商標）アプレットは、ローカルコンピュータ１０において遠隔機械２０のＥＤＳ２２のコンテンツを更新し、遠隔機械２０の様々な内部パラメータ設定を再設定する。
【００１７】
当業者であれば、記載された実施形態に対して様々な変形および変更を加えることができるということを理解するであろう。特許請求の範囲に記載されている本発明の範囲内にあるこうした変形、変更および等価物のすべてを含むということが意図される。
【００１８】
本発明の特徴は、特許請求の範囲に詳細に述べられているように新規なものであると思われる。しかしながら、本発明自体は、添付の図面とともに本発明に係る一実施形態を説明する以下の詳細な説明を参照することで最もよく理解される。
【図１】
2010206484.tif 000003
【図２】
2010206484.tif 000004
【図３】
2010206484.tif 000005
【図４】
2010206484.tif 000006